(57)【要約】【課題】本発明は、媒体への縁なし像の転写時に、周回体における媒体の接触域以外の域に周回体の幅方向の一端側から他端側に亘って帯像を形成する画像形成装置に比べて、除去部による像の除去不良が抑制されることを目的とする。【解決手段】画像形成装置は、一方向に周回し、媒体に転写される像が形成される周回体と、回転しつつ前記周回体とで媒体を挟んで媒体に像を転写する転写部と、該転写部に接し該転写部に付着される帯像を除去する除去部と、媒体への縁なし像の転写時に、前記周回体に媒体の接触域からはみ出た像を形成し、前記周回体における前記接触域以外の域であって前記一方向に前記像のはみ出し部分が重なる域以外の域に前記帯像を形成する形成部と、を備えている。【選択図】図４Ａ
2018049147.tif 000002
【特許請求の範囲】
【請求項１】
一方向に周回し、媒体に転写される像が形成される周回体と、
回転しつつ前記周回体とで媒体を挟んで媒体に像を転写する転写部と、
該転写部に接し該転写部に付着される帯像を除去する除去部と、
媒体への縁なし像の転写時に、前記周回体に媒体の接触域からはみ出た像を形成し、前記周回体における前記接触域以外の域であって前記一方向に前記像のはみ出し部分が重なる域以外の域に前記帯像を形成する形成部と、
を備えた画像形成装置。
【請求項２】
一方向に周回し、媒体に転写される像が形成される周回体と、
回転しつつ前記周回体とで媒体を挟んで媒体に像を転写する転写部と、
該転写部に接し該転写部に付着される帯像を除去する除去部と、
媒体への縁なし像の転写時に、前記周回体に媒体の接触域からはみ出た像を形成し、前記周回体における前記接触域以外の域であって前記一方向に前記像のはみ出し部分が重なる域が欠けた前記帯像を形成する形成部と、
を備えた画像形成装置。
【請求項３】
前記形成部は、媒体への縁なし像の転写時に、前記周回体の幅方向の各部位における前記帯像のトナー量と、前記周回体の幅方向の各部位における前記はみ出し部分のトナー量とが、定められた比率となるように、前記帯像を形成する、
請求項１又は２に記載の画像形成装置。
【請求項４】
一方向に周回し、媒体に転写される像が形成される周回体と、
回転しつつ前記周回体とで媒体を挟んで媒体に像を転写する転写部と、
該転写部に接し該転写部に付着される帯像を除去する除去部と、
媒体への縁なし像の転写時に、前記周回体に媒体の接触域からはみ出た像を形成し、前記周回体における前記接触域以外の域であって前記一方向に前記像のはみ出し部分が重なる域と重ならない域とに前記帯像を形成する形成部であって、前記周回体の幅方向の各部位における前記重ならない域の前記帯像のトナー量と、前記周回体の幅方向の各部位における前記はみ出し部分のトナー量に前記重なる域の前記帯像のトナー量を加算したトナー量とが、定められた比率となるように、前記帯像を形成する形成部と、
を備えた画像形成装置。
【請求項５】
一方向に周回し、媒体を保持して搬送する周回体と、
前記周回体に接し前記周回体に付着した像を除去する除去部と、
媒体への縁なし像の転写時に、前記周回体における媒体の保持域からはみ出した像を形成して該像を媒体及び周回体に転写させ、前記周回体における前記保持域以外の域であって前記一方向に前記はみ出した像のはみ出し部分が重なる域以外の域に前記除去部に除去される像を形成する形成部と、
を備えた画像形成装置。
【発明の詳細な説明】
【技術分野】
【０００１】
本発明は、画像形成装置に関する。
【背景技術】
【０００２】
特許文献１には、その図２に示されるように、感光体ドラムを含む画像形成エンジンと、中間転写ベルトと、二次転写ローラと、定着器と、クリーニング部材を含み、中間転写ベルトをクリーニングするクリーニング装置とを備えた画像形成部が開示されている。また、特許文献１には、画像形成部が各色のトナーを用いて感光体ドラム上に形成される帯状の画像とされるトナーバンドを形成することが開示されている。なお、形成されるトナーバンドには、クリーニング部材を保護するために形成されるものがあるとされている。
【先行技術文献】
【特許文献】
【０００３】
【特許文献１】特開２０１３−２９７２３号公報
【発明の概要】
【発明が解決しようとする課題】
【０００４】
本発明は、媒体への縁なし像の転写時に、周回体における媒体の接触域以外の域に周回体の幅方向の一端側から他端側に亘って帯像を形成する画像形成装置に比べて、除去部による像の除去不良が抑制されることを目的とする。
【課題を解決するための手段】
【０００５】
請求項１に記載の画像形成装置は、一方向に周回し、媒体に転写される像が形成される周回体と、回転しつつ前記周回体とで媒体を挟んで媒体に像を転写する転写部と、該転写部に接し該転写部に付着される帯像を除去する除去部と、媒体への縁なし像の転写時に、前記周回体に媒体の接触域からはみ出た像を形成し、前記周回体における前記接触域以外の域であって前記一方向に前記像のはみ出し部分が重なる域以外の域に前記帯像を形成する形成部と、を備えている。
【０００６】
請求項２に記載の画像形成装置は、一方向に周回し、媒体に転写される像が形成される周回体と、回転しつつ前記周回体とで媒体を挟んで媒体に像を転写する転写部と、該転写部に接し該転写部に付着される帯像を除去する除去部と、媒体への縁なし像の転写時に、前記周回体に媒体の接触域からはみ出た像を形成し、前記周回体における前記接触域以外の域であって前記一方向に前記像のはみ出し部分が重なる域が欠けた前記帯像を形成する形成部と、を備えている。
【０００７】
請求項３に記載の画像形成装置は、請求項１又は２に記載の画像形成装置であって、前記形成部は、媒体への縁なし像の転写時に、前記周回体の幅方向の各部位における前記帯像のトナー量と、前記周回体の幅方向の各部位における前記はみ出し部分のトナー量とが、定められた比率となるように、前記帯像を形成する。
【０００８】
請求項４に記載の画像形成装置は、一方向に周回し、媒体に転写される像が形成される周回体と、回転しつつ前記周回体とで媒体を挟んで媒体に像を転写する転写部と、該転写部に接し該転写部に付着される帯像を除去する除去部と、媒体への縁なし像の転写時に、前記周回体に媒体の接触域からはみ出た像を形成し、前記周回体における前記接触域以外の域であって前記一方向に前記像のはみ出し部分が重なる域と重ならない域とに前記帯像を形成する形成部であって、前記周回体の幅方向の各部位における前記重ならない域の前記帯像のトナー量と、前記周回体の幅方向の各部位における前記はみ出し部分のトナー量に前記重なる域の前記帯像のトナー量を加算したトナー量とが、定められた比率となるように、前記帯像を形成する形成部と、を備えている。
【０００９】
請求項５に記載の画像形成装置は、一方向に周回し、媒体を保持して搬送する周回体と、前記周回体に接し前記周回体に付着した像を除去する除去部と、媒体への縁なし像の転写時に、前記周回体における媒体の保持域からはみ出した像を形成して該像を媒体及び周回体に転写させ、前記周回体における前記保持域以外の域であって前記一方向に前記はみ出した像のはみ出し部分が重なる域以外の域に前記除去部に除去される像を形成する形成部と、を備えている。
【発明の効果】
【００１０】
請求項１に記載の画像形成装置は、媒体への縁なし像の転写時に、周回体における媒体の接触域以外の域に周回体の幅方向の一端側から他端側に亘って帯像を形成する画像形成装置に比べて、除去部による像の除去不良が抑制される。
【００１１】
請求項２に記載の画像形成装置は、媒体への縁なし像の転写時に、周回体における媒体の接触域以外の域に周回体の幅方向の一端側から他端側に亘って帯像を形成する画像形成装置に比べて、除去部による像の除去不良が抑制される。
【００１２】
請求項３に記載の画像形成装置は、周回体の幅方向の各部位における帯像のトナー量と、周回体の幅方向の各部位におけるはみ出し部分のトナー量とが、定められた比率を満たさない場合に比べて、除去部による像の除去不良が抑制される。
【００１３】
請求項４に記載の画像形成装置は、媒体への縁なし像の転写時に、周回体における媒体の接触域以外の域であって一方向に像のはみ出し部分が重なる域に帯像を形成しない画像形成装置に比べて、除去部による像の除去不良が抑制される。
【００１４】
請求項５に記載の画像形成装置は、周回体の幅方向の各部位における重ならない域の帯像のトナー量と、周回体の幅方向の各部位におけるはみ出し部分のトナー量に重なる域の帯像のトナー量を加算したトナー量とが、定められた比率を満たさない場合に比べて、除去部による像の除去不良が抑制される。
【図面の簡単な説明】
【００１５】
【図１】第１実施形態の画像形成装置の概略図（正面図）である。
【図２】第１実施形態の画像形成装置を構成する転写ベルトにおける、媒体接触域と、媒体非接触域とを示す模式図である。
【図３】第１実施形態の画像形成装置を用いて通常モードで画像形成を行う場合、転写ベルトに形成される、媒体接触域の像と、媒体非接触域の帯像との一例を示す模式図である。
【図４Ａ】第１実施形態の画像形成装置を用いて縁なしモードで画像形成を行う場合、転写ベルトに形成される、媒体接触域の像と、媒体非接触域の帯像との一例を示す模式図である。
【図４Ｂ】第１実施形態の画像形成装置を用いて縁なしモードで画像形成を行う場合、転写ベルトに形成される、媒体接触域の像と、媒体非接触域の帯像との他の一例を示す模式図である。
【図４Ｃ】第１実施形態の画像形成装置を用いて縁なしモードで画像形成を行う場合、転写ベルトに形成される、媒体接触域の像と、媒体非接触域の帯像との他の一例を示す模式図である。
【図４Ｄ】第１実施形態の画像形成装置を用いて縁なしモードで画像形成を行う場合、転写ベルトに形成される、媒体接触域の像と、媒体非接触域の帯像との他の一例を示す模式図である。
【図４Ｅ】第１実施形態の画像形成装置を用いて縁なしモードで画像形成を行う場合、転写ベルトに形成される、媒体接触域の像と、媒体非接触域の帯像との他の一例を示す模式図である。
【図５】比較形態の画像形成装置を用いて縁なしの画像形成を行う場合、転写ベルトに形成される、媒体接触域の像と、媒体非接触域の帯像との一例を示す模式図である。
【図６】第２実施形態の画像形成装置を用いて縁なしモードで画像形成を行う場合、転写ベルトに形成される、媒体接触域の像と、媒体非接触域の帯像との一例を示す模式図である。
【図７】変形例（第１変形例）の画像形成装置を用いて縁なしの画像形成を行う場合、転写ベルトに形成される、媒体接触域の像と、媒体非接触域の帯像との一例を示す模式図である。
【図８】変形例（第２変形例）の画像形成装置を用いて縁なしの画像形成を行う場合、転写ベルトに形成される、媒体接触域の像と、媒体非接触域の帯像との一例を示す模式図である。
【図９】変形例（第３変形例）の画像形成装置の概略図（正面図）である。
【発明を実施するための形態】
【００１６】
≪概要≫
発明を実施するための形態（実施形態）について、２つの実施形態（第１及び第２実施形態）を例示して説明する。
【００１７】
≪第１実施形態≫
まず、第１実施形態の画像形成装置（図１参照）の構成、画像形成動作及び効果について、図面を参照しつつ説明する。以下の説明では、図１に矢印Ｈで示す方向を装置高さ方向、矢印Ｗで示す方向の装置幅方向、装置高さ方向及び装置幅方向のそれぞれに直交する方向（矢印Ｄの方向）を装置奥行き方向とする。なお、図１は、本実施形態の画像形成装置１０の正面図である。
＜構成＞
以下、本実施形態の画像形成装置１０の構成について特に断りがない限り図１を参照しつつ説明する。画像形成装置１０は、トナー像形成部２０と、転写装置３０と、搬送装置４０と、定着装置５０と、制御部６０と、を含んで構成される電子写真方式の装置とされている。
【００１８】
［トナー像形成部］
トナー像形成部２０は、帯電、露光、現像の各工程を行って、後述する転写ベルトＴＢが保持するトナー像（図示省略）を、後述する感光体２２Ｙ、２２Ｍ、２２Ｃ、２２Ｋに形成する機能を有する。ここで、トナー像形成部２０は、形成部の一例である。また、トナー像は、像の一例である。トナー像形成部２０は、単色ユニット２０Ｙ、２０Ｍ、２０Ｃ、２０Ｋを含んで構成されている。また、単色ユニット２０Ｙ、２０Ｍ、２０Ｃ、２０Ｋは、それぞれ感光体２２Ｙ、２２Ｍ、２２Ｃ、２２Ｋを備えている。
【００１９】
［転写装置］
転写装置３０は、転写ベルトＴＢに、各感光体２２Ｙ、２２Ｍ、２２Ｃ、２２Ｋに形成されたトナー像を１次転写させて、転写ベルトＴＢに保持させた（すなわち、転写ベルトＴＢに形成された）トナー像を媒体Ｐに２次転写させる機能を有する。転写装置３０は、転写ベルトＴＢと、駆動ロール３２と、複数の１次転写ロール３４と、複数の従動ロール３６と、２次転写部３８と、を含んで構成されている。
【００２０】
転写ベルトＴＢは、無端状であって、駆動ロール３２の駆動力により駆動されて、矢印Ａ方向に周回しながら媒体Ｐに２次転写（転写）されるトナー像を保持する機能を有する。ここで、転写ベルトＴＢは、周回体の一例である。また、矢印Ａ方向は、一方向の一例である。なお、前述のとおり、転写ベルトＴＢには、各感光体２２Ｙ、２２Ｍ、２２Ｃ、２２Ｋに現像されたトナー像が各１次転写ロール３４により転写ベルトＴＢに１次転写されることで、媒体Ｐに２次転写されるトナー像が形成されるようになっている。
【００２１】
２次転写部３８は、２次転写ロール３８Ａ（以下、ロール３８Ａという。）と、ブレード３８Ｂと、廃トナー容器３８Ｃとを含んで構成されている。ここで、ロール３８Ａは、転写部の一例である。また、ブレード３８Ｂは、除去部の一例である。
【００２２】
ロール３８Ａは、転写ベルトＴＢを挟んで駆動ロール３２の反対側に配置されており、駆動ロール３２とで、転写ベルトＴＢにニップＮ１を形成している。そして、ロール３８Ａは、軸周りに回転しつつ、電源（図示省略）から２次転写電圧が印加されている駆動ロール３２とで、転写ベルトＴＢが保持するトナー像を、ニップＮ１を通過する媒体Ｐに２次転写させるようになっている。すなわち、ロール３８Ａは、軸周りに回転しつつ転写ベルトＴＢ（転写ベルトＴＢにおける駆動ロール３２に巻き掛けられている部分）とで媒体Ｐを挟んで媒体Ｐにトナー像を転写する機能を有する。
【００２３】
ブレード３８Ｂは、ロール３８Ａに付着する画像形成装置１０内を浮遊するトナー、紙粉等を除去する機能を有する。また、ブレード３８Ｂは、ロール３８Ａに接しロール３８Ａに付着される像（を構成するトナー）をロール３８Ａから除去する機能を有する。廃トナー容器３８Ｃは、ブレード３８Ｂを囲むように配置されており、ブレード３８Ｂが除去したトナーを収容する機能を有する。なお、ブレード３８Ｂの除去対象とされる「ロール３８Ａに付着される像」とは、後述する帯像Ｇ２を意味する。また、ブレード３８Ｂは、後述する帯像Ｇ２の形成幅（帯像Ｇ２が転写ベルトＴＢに形成される装置奥行き方向の幅）よりも広い範囲でロール３８Ａに接している。
【００２４】
ここで、図２は、転写ベルトＴＢにおける、媒体接触域Ｒ１（媒体Ｐが接触する領域を意味し、以下、領域Ｒ１という。）と、媒体非接触域Ｒ２（媒体Ｐが接触しない領域を意味し、以下、領域Ｒ２という。）とを示す模式図である。ここで、領域Ｒ１は、周回体における媒体の接触域の一例である。また、領域Ｒ２は、周回体における接触域以外の域の一例である。転写ベルトＴＢは前述のとおり無端状とされているが、図２の転写ベルトＴＢは仮想的に周方向の１箇所で幅方向に切断された状態で図示されているが、実際の転写ベルトＴＢは周回方向における両端ＴＢ１、ＴＢ２で繋がっている。本実施形態の転写装置３０は、一例としてＡ４サイズの複数の媒体Ｐに転写動作を行う場合、転写ベルトＴＢの周回方向（矢印Ａ方向）を媒体Ｐの縦方向として、転写ベルトＴＢに２枚分の媒体Ｐに２次転写させるトナー像を形成可能とされている。そして、転写装置３０は、転写ベルトＴＢにおける予め定められた２つの領域Ｒ１（各破線で囲まれた領域）に、ニップＮ１を通過する複数の媒体Ｐが接触するように設定されている。なお、領域Ｒ１の破線部分は、ニップＮ１において、媒体Ｐの縁が接触する部分とされている。
【００２５】
［搬送装置］
搬送装置４０は、媒体収容部４２に収容されている媒体Ｐを、ニップＮ１及び後述するニップＮ２を含む搬送路４６Ｃを搬送させ、装置外に排出させる機能を有する。搬送装置４０は、送出ロール４６Ａと、複数の搬送ロール対４６Ｂと、を備えている。
【００２６】
［定着装置］
定着装置５０は、転写装置３０により媒体Ｐに２次転写（転写）されたトナー像を媒体Ｐに定着させる機能を有する。定着装置５０は、加熱ロール５２と、加圧ロール５４とを備えている。そして、定着装置５０は、加熱ロール５２と、加圧ロール５４とで形成するニップＮ２を通過する媒体Ｐを加熱ロール５２により加熱し、加熱ロール５２と加圧ロール５４とで加圧して、媒体Ｐにトナー像を定着させるようになっている。
【００２７】
［制御部］
制御部６０は、画像形成装置１０を構成する制御部６０以外の各構成要素を制御する機能を有する。制御部６０の機能については、後述する画像形成動作の説明の中で説明する。
【００２８】
以上が、実施形態の画像形成装置１０の構成についての説明である。
【００２９】
＜画像形成動作＞
次に、画像形成装置１０の画像形成動作について、図面を参照しつつ説明する。本実施形態の画像形成装置１０は、外部装置から送信される画像信号に応じて、後述する、通常モードと、縁なしモードとで画像形成を行うようになっている。ここで、通常モードとは、媒体Ｐの全縁に亘って画像が形成されない、すなわち、媒体Ｐの全縁が余白部分の端となる画像（以下、通常モードの画像）が形成されるモードをいう。また、縁なしモードとは、媒体Ｐの全縁の少なくとも一部の縁が画像の端となる画像（以下、縁なしモードの画像）が形成されるモードをいう。以下、まず、通常モードの画像形成動作について説明し、次いで、縁なしモードの画像形成動作について説明する。
【００３０】
［通常モード］
まず、通常モードの画像形成動作について、図１及び図３を参照しつつ説明する。
【００３１】
制御部６０が外部装置（一例としてパーソナルコンピュータ）から通常モードの画像を形成するための画像データを受け取ると、制御部６０は、当該画像データを各色の画像データ（後述するトナー像Ｇ１を形成するための画像データ）に変換する。そして、制御部６０は、トナー像形成部２０に帯電、露光、現像の各工程を行わせて、感光体２２Ｙ、２２Ｍ、２２Ｃ、２２Ｋに各色のトナー像及び後述する帯像を形成する。
【００３２】
次いで、感光体２２Ｙ、２２Ｍ、２２Ｃ、２２Ｋに形成された各色のトナー像及び帯像は、各１次転写ロール３４により転写ベルトＴＢに１次転写される。ここで、図３は、重畳された各色のトナー像Ｇ１と、重畳された各色の帯像Ｇ２とが（外周に）形成されている状態の転写ベルトＴＢの一部を示している。トナー像Ｇ１は、媒体Ｐの全縁が余白部分の端となる画像を形成するためのトナー像であることから、転写ベルトＴＢにおける領域Ｒ１の全縁（破線部分）の内側から外側にはみ出さない状態で形成される。また、帯像Ｇ２は、転写ベルトＴＢにおける領域Ｒ２に形成される。具体的には、帯像Ｇ２は、転写ベルトＴＢの周回方向（矢印Ａ方向）における２箇所の領域Ｒ１の間の部分、かつ、転写ベルトＴＢの幅方向における領域Ｒ１の一端よりも外側（転写ベルトＴＢの一端側）から領域Ｒ１の他端よりも外側（転写ベルトＴＢの他端側）に亘って、帯状に形成される。なお、帯像Ｇ２は、前述の通常モードの画像を形成するための画像データに含まれる画像データではなく、制御部６０が通常モードの画像を形成するための画像データを受け取ると、制御部６０が生成する画像データとされている。
【００３３】
一方、搬送装置４０は、転写ベルトＴＢにおける各トナー像が１次転写された部位がニップＮ１に到達するタイミングに合わせて、媒体収容部４２に収容されている媒体ＰをニップＮ１に搬送する。
【００３４】
次いで、ロール３８Ａは、軸周りに回転しつつ、電源（図示省略）から２次転写電圧が印加されている駆動ロール３２とで、ニップＮ１に到達するトナー像Ｇ１を、ニップＮ１を通過する媒体Ｐに２次転写させる。
【００３５】
次いで、搬送装置４０は、各色のトナー像が２次転写された媒体Ｐを定着装置５０のニップＮ２に向けて搬送する。そして、ニップＮ２を通過する媒体Ｐには、各色のトナー像が定着される（媒体Ｐに画像が形成される）。
【００３６】
そして、各色のトナー像が定着された媒体Ｐ（画像が形成された媒体Ｐ）は、搬送装置４０により装置外に排出されて、通常モードの画像形成動作が終了する。
【００３７】
なお、転写ベルトＴＢにおける領域Ｒ２に形成された帯像Ｇ２（を構成するトナー）は、ニップＮ１に到達すると、駆動ロール３２に電源（図示省略）からの２次転写電圧が印加されていることにより、軸周りに回転するロール３８Ａに付着する。ロール３８Ａに付着した帯像Ｇ２（を構成していたトナー）は、ロール３８Ａの回転に伴いロール３８Ａの外周を移動してブレード３８Ｂによりロール３８Ａから除去される。そして、ロール３８Ａから除去されたトナーは、廃トナー容器３８Ｃに収容される。この場合、ブレード３８Ｂは、そのエッジの一端側から他端側に亘る全範囲でロール３８Ａに付着しているトナーを除去する。
【００３８】
以上が、通常モードの画像形成動作についての説明である。
【００３９】
［縁なしモード］
次に、縁なしモードの画像形成動作について、図１並びに図４Ａ、図４Ｂ、図４Ｃ、図４Ｄ及び図４Ｅを参照しつつ説明する。
【００４０】
縁なしモードの画像形成動作は、前述の通常モードの場合とは外部装置から受け取る画像データが異なることで、通常モードの画像形成動作と以下の２点で異なる。以下、異なる２点について説明する。
【００４１】
〔トナー像形成部による１次転写の点〕
縁なしモードの画像形成動作の場合、制御部６０が外部装置から受け取る画像データは、縁なしモードの画像を形成するための画像データとされている。ここで、図４Ａ、図４Ｂ、図４Ｃ、図４Ｄ及び図４Ｅは、それぞれ、縁なしモードの画像形成動作の場合に、重畳された各色のトナー像Ｇ３と、重畳された各色の帯像Ｇ４とが（外周に）形成されている状態の転写ベルトＴＢの一部を示している。例えば、トナー像Ｇ３は、図４Ａ、図４Ｂ、図４Ｃ、図４Ｄ及び図４Ｅに示されるように、領域Ｒ１からはみ出したトナー像（領域Ｒ１の全縁の内側から外側にはみ出した状態のトナー像）として形成される。ここで、トナー像Ｇ３は、媒体の接触域からはみ出した像の一例である。以下の説明では、トナー像Ｇ３における領域Ｒ１内の部分を領域内部分Ｇ３Ａと、トナー像Ｇ３における領域Ｒ１からはみ出した部分（又はトナー像Ｇ３における領域Ｒ２に形成されている部分）をはみ出し部分Ｇ３Ｂという。
【００４２】
また、帯像Ｇ４は、図４Ａ、図４Ｂ、図４Ｃ、図４Ｄ及び図４Ｅに示されるように、通常モードの場合の帯像Ｇ２（図３参照）に対し、転写ベルトＴＢの周回方向にはみ出し部分Ｇ３Ｂが重なる部分ＰＧが欠けた像として形成される。すなわち、縁なしモードの場合（媒体Ｐへの縁なし像の転写時に）、帯像Ｇ４は、制御部６０が制御するトナー像形成部２０により、領域Ｒ２であって転写ベルトＴＢの周回方向にトナー像Ｇ３のはみ出し部分Ｇ３Ｂが重なる領域（域）以外の領域に形成される。
【００４３】
〔転写装置による２次転写の点〕
〔領域内部分について〕
転写ベルトＴＢに形成されたトナー像Ｇ３の一部である領域内部分Ｇ３Ａは、ニップＮ１に到達すると、タイミングを合わせてニップＮ１を通過する媒体Ｐに２次転写される。次いで、領域内部分Ｇ３Ａが２次転写された媒体Ｐは、定着装置５０のニップＮ２を通過することで領域内部分Ｇ３Ａが定着される（媒体Ｐに画像が形成される）。そして、画像が形成された媒体Ｐは、搬送装置４０により装置外に排出されて、縁なしモードの画像形成動作が終了する。
【００４４】
〔はみ出し部分及び帯像について〕
転写ベルトＴＢに形成されたはみ出し部分Ｇ３Ｂ及び帯像Ｇ４（を構成するトナー）は、ニップＮ１に到達すると、駆動ロール３２に電源（図示省略）からの２次転写電圧が印加されていることにより、軸周りに回転するロール３８Ａに付着する。ロール３８Ａに付着したはみ出し部分Ｇ３Ｂ及び帯像Ｇ４（を構成していたトナー）は、ロール３８Ａの回転に伴いロール３８Ａの外周を移動してブレード３８Ｂによりロール３８Ａから除去される。そして、ロール３８Ａから除去されたトナーは、廃トナー容器３８Ｃに収容される。この場合、ブレード３８Ｂは、はみ出し部分Ｇ３Ｂ及び帯像Ｇ４を構成していたトナーがロール３８Ａに付着することで、そのエッジの一端側から他端側に亘る全範囲でロール３８Ａに付着しているトナーを除去する。
【００４５】
以上が、縁なしモードの画像形成動作についての説明である。また、以上が、本実施形態の画像形成動作についての説明である。
【００４６】
＜効果＞
次に、本実施形態の効果について本実施形態を以下に説明する比較形態と比較しつつ図面を参照しながら説明する。なお、比較形態において本実施形態で用いた部品等を用いて説明する場合、図示しなくても、その部品の符号、名称等を使用する。
【００４７】
ここで、本実施形態の効果とは、媒体Ｐへの縁なし像の転写時に、トナー像形成部２０が領域Ｒ２であって転写ベルトＴＢの周回方向にトナー像Ｇ３のはみ出し部分Ｇ３Ｂが重なる領域以外の領域に帯像Ｇ４を形成することの効果である。別言すると、本実施形態の効果とは、媒体Ｐへの縁なし像の転写時に、トナー像形成部２０が通常モードの場合に形成する帯像Ｇ２に対して転写ベルトＴＢの周回方向にはみ出し部分Ｇ３Ｂが重なる部分ＰＧが欠けた帯像Ｇ４を形成することの効果である。
【００４８】
比較形態の画像形成装置１０Ａは、制御部６０が外部装置から受け取る画像データに関わらず、転写ベルトＴＢに、本実施形態の通常モードの場合に形成する帯像Ｇ２（図３参照）と同等の帯像Ｇ２を形成する。例えば、比較形態の画像形成装置１０Ａは、図５に示されるように、制御部６０が縁なしモードの画像を形成するための画像データを受け取った場合、転写ベルトＴＢに帯像Ｇ２を形成する。比較形態は、上記の点以外は本実施形態と同様とされている。
【００４９】
比較形態の画像形成装置１０Ａを用いて縁なし像の画像形成動作を行うと、転写ベルトＴＢに形成されたはみ出し部分Ｇ３Ｂ及び帯像Ｇ２（を構成するトナー）は、ニップＮ１において軸周りに回転するロール３８Ａに付着する。その後、はみ出し部分Ｇ３Ｂ及び帯像Ｇ２（を構成していたトナー）は、ロール３８Ａの回転に伴いロール３８Ａの外周を移動してロール３８Ａに接するブレード３８Ｂのエッジに到達する。
【００５０】
ここで、ブレード３８Ｂは、本来、ロール３８Ａに接するブレード３８Ｂのエッジに到達したトナーをロール３８Ａから除去するためのものであるが、比較形態の場合、ブレード３８Ｂによるトナーの除去不良が発生する虞がある。
【００５１】
比較形態で縁なし像を転写する場合、ブレード３８Ｂにおける装置奥行き方向の各部位に到達するトナーのトナー量は、装置幅方向においてはみ出し部分Ｇ３Ｂに重なる部分と、はみ出し部分Ｇ３Ｂに重ならない部分とで異なる。具体的には、装置幅方向においてはみ出し部分Ｇ３Ｂに重なる部分のトナー量は、はみ出し部分Ｇ３Ｂのトナー量の分、装置幅方向においてはみ出し部分Ｇ３Ｂに重ならない部分のトナー量よりも多くなる。その結果、ブレード３８Ｂにおける装置幅方向にはみ出し部分Ｇ３Ｂが重なる部分では、ロール３８Ａに付着しているトナーの一部又は全部を除去できずにブレード３８Ｂによるトナーの除去不良が発生する。
【００５２】
これに対して、本実施形態の画像形成装置１０を用いて縁なし像の画像形成動作を行うと、制御部６０は、通常モード（図３参照）と異なる縁なしモード（図４Ａ、図４Ｂ、図４Ｃ、図４Ｄ及び図４Ｅ）により画像形成動作を行う。具体的には、本実施形態での縁なしモードの場合、帯像Ｇ４は、通常モードの場合に形成される帯像Ｇ２（図３及び図５の帯像Ｇ２を参照）に対して転写ベルトＴＢの周回方向にはみ出し部分Ｇ３Ｂが重なる部分ＰＧが欠けた帯像Ｇ４を形成される（一例として図４Ａ参照）。そのため、本実施形態の場合にブレード３８Ｂにおける装置幅方向にはみ出し部分Ｇ３Ｂが重なる部分に到達するトナーのトナー量は、比較形態の場合にブレード３８Ｂにおける装置幅方向にはみ出し部分Ｇ３Ｂが重なる部分に到達するトナーのトナー量に比べて、少ない。
【００５３】
したがって、本実施形態の画像形成装置１０によれば、媒体Ｐへの縁なし像の転写時に、領域Ｒ２に転写ベルトＴＢの幅方向の一端側から他端側に亘って帯像Ｇ２を形成する構成に比べて、ブレード３８Ｂによるはみ出し部分Ｇ３Ｂ及び帯像Ｇ４（を構成するトナー）の除去不良が抑制される。
【００５４】
以上が、本実施形態の効果についての説明である。また、以上が、第１実施形態についての説明である。
形態）を例示して説明する。
【００５５】
≪第２実施形態≫
次に、第２実施形態の画像形成装置１０Ｂ（図６参照）の構成、画像形成動作及び効果について、図面を参照しつつ説明する。なお、本実施形態において第１実施形態で用いた部品等を用いて説明する場合、図示しなくても、その部品の符号、名称等を使用する。
【００５６】
＜構成及び画像形成動作＞
本実施形態の画像形成装置１０Ｂは、縁なしモードで画像形成動作を行う場合の帯像Ｇ４（のパターン）が異なる。本実施形態の画像形成装置１０Ｂは、例えば、第１実施形態の画像形成装置１０を用いて図４Ａのトナー像Ｇ３を形成する場合、図４Ａの２つの帯像Ｇ４（図６の２つの第１帯像Ｇ４Ａ）同士の間の部分に、第２帯像Ｇ４Ｂを形成する。すなわち、本実施形態の帯像Ｇ４は、第１実施形態の帯像Ｇ４に相当する第１帯像Ｇ４Ａと、第１実施形態の帯像Ｇ４にない第２帯像Ｇ４Ｂとで構成されている。
【００５７】
また、本実施形態のトナー像形成部２０は、転写ベルトＴＢの幅方向の各部位における第１帯像Ｇ４Ａのトナー量と、転写ベルトＴＢの幅方向の各部位におけるはみ出し部分Ｇ３Ｂのトナー量に第２帯像Ｇ４Ｂのトナー量を加算したトナー量とが定められた比率となるように、第２帯像Ｇ４Ｂを形成する。ここで、転写ベルトＴＢにおいる周回方向にはみ出し部分Ｇ３Ｂが重なる部分ＰＧは、重なる域の一例である。また、転写ベルトＴＢにおける周回方向にはみ出し部分Ｇ３Ｂが重なる部分ＰＧ以外の部分は、重ならない域の一例である。なお、上記の定められた比率は、一例として、１対１とされている。すなわち、本実施形態の場合、トナー像Ｇ３のはみ出し部分Ｇ３Ｂのトナー濃度に応じて、第２帯像Ｇ４Ｂのトナー濃度が調整される。本実施形態は、上記の点以外は第１実施形態と同様とされている。
【００５８】
＜効果＞
第１実施形態の場合、図４Ａ、図４Ｂ、図４Ｃ、図４Ｄ及び図４Ｅに示されるように、転写ベルトＴＢにおける周回方向にはみ出し部分Ｇ３Ｂが重なる部分ＰＧには帯像Ｇ４が形成されない。また、第１実施形態の場合、転写ベルトＴＢの幅方向におけるはみ出し部分Ｇ３Ｂの各部位のトナー濃度が異なる場合、ブレード３８Ｂにおける装置幅方向にはみ出し部分Ｇ３Ｂが重なる部分に到達するトナーのトナー量が同等とならない。
【００５９】
これに対して、本実施形態のトナー像形成部２０は、転写ベルトＴＢの幅方向の各部位における、第１帯像Ｇ４Ａのトナー量と、はみ出し部分Ｇ３Ｂのトナー量に第２帯像Ｇ４Ｂのトナー量を加算したトナー量とが定められた比率となるように、第２帯像Ｇ４Ｂを形成する。そのため、本実施形態の画像形成装置１０Ｂを用いて縁なし像を形成する場合、第１実施形態の画像形成装置１０を用いて縁なし像を形成する場合に比べて、ロール３８Ａに対するブレード３８Ｂの接触部分における装置幅方向の各部位に到達するトナーのトナー量を平均化することができる（ロール３８Ａに付着するトナーの付着量のばらつきを小さくできる）。
【００６０】
したがって、本実施形態の画像形成装置１０Ｂは、媒体Ｐへの縁なし像の転写時に、転写ベルトＴＢにおける周回方向にはみ出し部分Ｇ３Ｂが重なる部分ＰＧに第２帯像Ｇ４Ｂを形成しない画像形成装置に比べて、ブレード３８Ｂによるロール３８Ａに付着したトナーの除去不良が抑制される。本実施形態のその他の効果は、第１実施形態の場合と同様である。
【００６１】
以上のとおり、本発明について特定の実施形態を例として説明したが、本発明は前述した各実施形態に限定されるものではない。本発明の技術的範囲には、例えば、下記のような形態も含まれる。
【００６２】
各実施形態では、縁なしモードで画像形成動作を行う場合の帯像Ｇ４を、領域Ｒ２のうち転写ベルトＴＢの周回方向（矢印Ａ方向）における２箇所の領域Ｒ１の間の部分に形成するとして説明した。しかしながら、媒体Ｐへの縁なし像の転写時に、トナー像形成部２０が領域Ｒ２であって転写ベルトＴＢの周回方向にトナー像Ｇ３のはみ出し部分Ｇ３Ｂが重なる領域以外の領域に帯像Ｇ４を形成すれば、帯像Ｇ４が形成される部分は転写ベルトＴＢの周回方向における２箇所の領域Ｒ１の間の部分でなくてもよい。例えば、図７の変形例（第１変形例）及び図８の変形例（第２変形例）のように、帯像Ｇ４が形成される部分が領域Ｒ２のうち転写ベルトＴＢの幅方向に領域Ｒ１がある部分であってもよい。
【００６３】
また、各実施形態の帯像Ｇ４の形状は、転写ベルトＴＢの厚み方向から見ると、矩形状として例示した。しかしながら、帯像Ｇ４の形状は矩形状でなくてもよい。例えば、帯像Ｇ４の形状は線状、複数の円の組み合わせその他の形状であってもよい。
【００６４】
また、第１実施形態の説明では、帯像Ｇ４における転写ベルトＴＢの幅方向の各部位のトナー量を特に特定していなかった。しかしながら、例えば、転写ベルトＴＢの幅方向の各部位における、はみ出し部分Ｇ３Ｂにおけるトナー量と、帯像Ｇ４のトナー量とが、定められた比率（一例として１対１）となるように、帯像Ｇ４のトナー濃度を調整するようにしてもよい。この変形例の場合、定められた比率を満たさない場合に比べて、ブレード３８Ｂによるはみ出し部分Ｇ３Ｂ及び帯像Ｇ４（を構成するトナー）の除去不良が抑制されるといえる。
【００６５】
また、第２実施形態のトナー像形成部２０は、転写ベルトＴＢの幅方向の各部位における第１帯像Ｇ４Ａのトナー量と、転写ベルトＴＢの幅方向の各部位におけるはみ出し部分Ｇ３Ｂのトナー量に第２帯像Ｇ４Ｂのトナー量を加算したトナー量とが、一例として１対１とされる定められた比率となるように、第２帯像Ｇ４Ｂを形成するとして説明した。しかしながら、定められた比率を１対１とすることは一例に過ぎず、例えば、９対１０、１０対７等としてもよい。ロール３８Ａからトナーを除去するブレード３８Ｂによる除去不良が抑制できればよい。
【００６６】
また、各実施形態の画像形成装置１０、１０Ｂは、転写ベルトＴＢを有するいわゆる中間転写方式の装置であるとして説明した。しかしながら、本発明の技術思想は、例えば、図９に示される変形例（第３変形例）の画像形成装置１０Ｃのように、トナー像形成部２０（形成部の一例）から搬送ベルトＴＢ２（周回体の他の一例）を有する搬送機構３０Ａにより搬送される媒体Ｐに直接トナー像を転写し、縁なし像を形成する場合、搬送ベルトＴＢ２における媒体の保持領域（保持域）以外の領域に、保持領域からはみ出した像と、帯像（除去像）とを形成し、搬送ベルトＴＢ２に接するブレード３８Ｂ（除去部の一例）により、上記のはみ出し像と除去像とを除去する場合に適用してもよい。
【符号の説明】
【００６７】
１０        画像形成装置
２０        トナー像形成部（形成部の一例）
３８Ａ      ２次転写ロール（転写部の一例）
３８Ｂ      ブレード（除去部の一例）
Ｇ３        トナー像（媒体の接触域からはみ出した像の一例）
Ｇ３Ｂ      はみ出し部分
Ｇ４        帯像
Ｐ          媒体
Ｒ１        領域（媒体の接触域）
Ｒ２        領域（媒体の接触域以外の域）
ＴＢ        転写ベルト（周回体の一例）
ＴＢ２      搬送ベルト（周回体の他の一例）
【図１】
2018049147.tif 000003
【図２】
2018049147.tif 000004
【図３】
2018049147.tif 000005
【図４Ａ】
2018049147.tif 000006
【図４Ｂ】
2018049147.tif 000007
【図４Ｃ】
2018049147.tif 000008
【図４Ｄ】
2018049147.tif 000009
【図４Ｅ】
2018049147.tif 000010
【図５】
2018049147.tif 000011
【図６】
2018049147.tif 000012
【図７】
2018049147.tif 000013
【図８】
2018049147.tif 000014
【図９】
2018049147.tif 000015